(57)【要約】立設自在なディスプレイ、たとえば、写真用カメラおよび／またはビデオカメラのディスプレイに組付けるためのグレアフードにおいて、グレアフード（１）は可撓性材料から少なくとも部分的に作製されており、グレアフード（１）がディスプレイ（２）に組付けられた状態では、ディスプレイ（２）に締め付け力を加える。本発明は、さらに、グレアフード（１）のブランクを提供する。加えて、本発明は、ディスプレイにグレアフードを取り付けるための方法において、グレアフード（１）が、グレアフード（１）の一部を変形させてディスプレイ（２）上に着脱可能に締め付けられることを特徴とするグレアフードを取り付けるための方法を提供する。
2005523656.tif 000002
【特許請求の範囲】
【請求項１】
立設自在なディスプレイ、たとえば、写真用カメラおよび／またはビデオカメラのディスプレイに組付けるためのグレアフードにおいて、
グレアフード（１）は、グレアフード（１）がディスプレイ（２）に組付けられた状態では、ディスプレイ（２）に締め付け力を加える可撓性材料から少なくとも部分的に作製されていることを特徴とするグレアフード。
【請求項２】
グレアフード（１）が、ディスプレイ（２）を滑り込ませるための少なくとも１つの凹所（６）を備えていることを特徴とする請求項１記載のグレアフード。
【請求項３】
前記凹所（６）が、前記可撓性材料によって少なくとも部分的に境界付けされていることを特徴とする請求項２記載のグレアフード。
【請求項４】
グレアフード（１）が、管状部（３）と管状部（３）に接続された可撓性壁部（４）とを含み、該壁部（４）は、管状部（３）の端面とともに、凹所（６）を境界付けしており、凹所内に前記ディスプレイ（２）を、可撓性壁部を変形させて含めることができることを特徴とする請求項１〜３のいずれか１項に記載のグレアフード。
【請求項５】
可撓性壁部が、組付けられていない状態では、湾曲していることを特徴とする請求項４記載のグレアフード。
【請求項６】
管状部（３）の端面のエッジ（７）が、少なくとも組付け後、ディスプレイ（２）と当接するために設けられていることを特徴とする少なくとも請求項４記載のグレアフード。
【請求項７】
前記可撓性壁部（４）が、前記管状部（３）の２つの対向する壁（８，９）を相互接続することを特徴とする少なくとも請求項４記載のグレアフード。
【請求項８】
管状部（３）が、可撓性壁部（４）の側から先細になることを特徴とする少なくとも請求項４記載のグレアフード。
【請求項９】
可撓性材料が、ゴム、たとえば、合成ゴムを含むことを特徴とする請求項１〜８のいずれか１項に記載のグレアフード。
【請求項１０】
前記可撓性材料が、ネオプレン（登録商標）を含むことを特徴とする少なくとも請求項９記載のグレアフード。
【請求項１１】
前記可撓性材料が、シリコーンゴムを含むことを特徴とする少なくとも請求項９記載のグレアフード。
【請求項１２】
可撓性材料が、黒であることを特徴とする請求項１〜１１のいずれか１項に記載のグレアフード。
【請求項１３】
管状部（３）が、少なくともグレアフードを組付けた状態で、ディスプレイを少なくとも指で触れることができるような高さ（Ｈ）を有することを特徴とする少なくとも請求項４記載のグレアフード。
【請求項１４】
組付け後、ディスプレイ（２）に臨む粗面を備えることを特徴とする請求項１〜１３のいずれか１項記載のグレアフード。
【請求項１５】
フード（１）が、実質的に前記可撓性材料から成ることを特徴とする請求項１〜１４のいずれか１項記載のグレアフード。
【請求項１６】
少なくとも請求項１記載のグレアフード（１）のブランク。
【請求項１７】
ブランクを折り、グレアフードを形成するための折り曲げ線を備えることを特徴とする請求項１６記載のブランク。
【請求項１８】
使用の位置で、ブランクから形成されたグレアフード（１）を保持するための取り付け部（１６，１７）が設けられることを特徴とする請求項１６または１７記載のブランク。
【請求項１９】
グレアフード（１）の異なる壁部を、これらの壁部がグレアフード（１）を形成するために相互に取り付けられる前に、相互に分離するために、切り離し線、たとえば、切断線、目打ち線および／または裁断線が設けられることを特徴とする少なくとも請求項１６記載のブランク。
【請求項２０】
グレアフード（１）が、グレアフード（１）の一部を変形させてディスプレイ（２）上に着脱可能に締め付けられることを特徴とするディスプレイにグレアフードを取り付ける方法。
【請求項２１】
ディスプレイ（２）を、グレアフード（１）の凹所（６）内に滑り込ませることを特徴とする請求項２０記載の方法。
【請求項２２】
グレアフードの少なくとも一部が、硬化可能材料および／または硬化可能組成物を型穴に挿入し、型穴で硬化させることによって、グレアフード部を形成することを特徴とする少なくとも請求項１記載のグレアフードを作製する方法。
【請求項２３】
前記型穴が実質的にグレアフード全体を形成するために形成されることを特徴とする請求項２２記載の方法。
【請求項２４】
請求項２２または２３記載の方法での使用のために、明らかに意図されたおよび適当なモールドであって、前記型穴を含むことを特徴とするモールド。
【発明の詳細な説明】
【発明の詳細な説明】
【０００１】
本発明は、立設自在なディスプレイ、たとえば、写真用カメラおよび／またはビデオカメラのディスプレイに組付けるためのグレアフードに関する。
【０００２】
このようなグレアフードは、米国特許第６１４４４１９号明細書から知られている。この既知のグレアフードは、“Ｈｏｏｄｍａｎ”（「フードマン」）とも呼ばれ、入射周囲光の結果としてのディスプレイのブラインディングを軽減および／または防止するために役立つ。このようなブラインディングは、特に、コントラストが消えてしまい表示された画像が殆どまたは全く見ることができないという点で、高輝度の周囲光中でディスプレイを使用することを、困難または不可能にさえする。ディスプレイに取り付けられるこの「フードマン」は、たとえば昼光、明るい日光および／または様々な光の中でも、ディスプレイを、なお充分見ることができるように、ディスプレイから周囲光を排除するために設計されている。
【０００３】
既知のグレアフードの欠点は、相対的に複雑な設計であり、したがって、作製するのが相対的に難しいことである。加えて、既知のグレアフードは、その複雑な構造およびそれに伴う使用の不便によって、相対的にあまり耐久性がない。たとえば、使用の目的のために、既知のグレアフードは、相対的に複雑な方法で、特に、グレアフードの様々な部分を、いくつかのＶｅｌｃｒｏ（ベルクロ）テープ接続具で、ディスプレイにかつ相互に、取り付けることによって、ディスプレイに取り付けなければならない。加えて、ディスプレイは、使用後、グレアフードが再びディスプレイから取り外されるときに、グレアフードとディスプレイとの間の取り付け具が相対的に取り外しにくいという点で、損傷することがある。その上、既知のグレアフードは、その構造のために、相対的に高価である。また別の欠点は、組付け後、既知のグレアフードはディスプレイと適正な当接状態にはないと判明しており、したがって、好ましくないことに、周囲光がフードとディスプレイとの間にあるスリットを通してディスプレイに到達することになる。さらに、既知のグレアフードは審美的な見地から相対的に魅力的ではない。
【０００４】
本発明は、前提項に記載したタイプのグレアフードを意図しており、相対的に簡単におよび容易に使用され得る。
【０００５】
本発明によれば、この目的のために、グレアフードは、使用中、少なくとも組付け状態では、グレアフードがディスプレイに締め付け力を加えるように、グレアフードが可撓性の材料から少なくとも部分的には作製されていることを特徴とする。
【０００６】
このグレアフードは、ディスプレイにグレアフードを単に締め付けることによって、相対的に速やかにディスプレイに取り付けることができる。この目的のために必要な締め付け力はグレアフードの可撓性の材料によって簡単に与えられる。したがって、グレアフードをディスプレイに取り付けるための別個の取り付け手段を使用することは、不必要である。グレアフードは、ディスプレイ上に締め付けられるので、該フードは、所望の位置での使用を容易に維持できる。さらに、グレアフードは相対的に簡単な設計であるので、グレアフードは、相対的に廉価に作製でき、そして相対的に耐久性がある。
【０００７】
本発明に従うグレアフードの追加的な利点は、ディスプレイに相対的に緊密に当接することができ、したがって、魅力的なユニットを形成することができる。特に、組付け後、グレアフードは、ディスプレイの一体部を形成するように見える。
【０００８】
好ましくは、グレアフードは、たとえば、ディスプレイとディスプレイを保持するために設けられた装置との間に延びているディスプレイ保持アームが過負荷となるのを防ぐために相対的に軽い材料から作製されている。好ましくは、可撓性の材料は、相対的に形状保持する材料を含んでいる。特に可撓性材料は、ゴム、たとえば合成ゴムを含む。このゴム材料は、相対的に軽量で、廉価である。さらに、この材料は、グレアフードを備えたディスプレイに相対的に良好な保護、たとえば衝突、落下および／またはその他の好ましくない機械的影響に対する保護を与えることができる。ゴム、特に、合成ゴム、たとえば、シリコーンゴムおよび／またはネオプレン（登録商標）は、相対的に耐久性があり、可撓性で、弾発性（保護性）があり、頑丈でありかつ遮光性であり、これらは、グレアフードの使用および機能にとっては有利な特性である。可撓性の材料は、各種の色で、たとえばディスプレイと同じ色で、設計できる。可撓性材料の有利な色は、好ましくない光反射を防ぐことを考慮して、つや消し黒である。簡単な方法では、グレアフードは、実質的に完全に可撓性材料から作ることができる。その上、グレアフードは、完全にまたは部分的にブランク（blank）に設けられてもよい。その場合には、使用者は、ブランクから、グレアフードを簡単に形成することができる。
【０００９】
本発明の好ましい実施形態によれば、グレアフードは、ディスプレイを滑り込ませるための少なくとも１つの凹所を備えている。
【００１０】
このようにして、グレアフードは、簡単に、したがって速やかに、ディスプレイに滑り込ませることができる。ディスプレイに滑り込ませている間、可撓性材料は、所望の締め付け力をディスプレイに与えるために変形させることができる。さらに、凹所で受け容れられたディスプレイを保護するため、グレアフードが相対的に弾発性のある材料、たとえば前述のゴム製の、相対的に厚肉の壁を備えているときには有利である。他方、グレアフードは、フードが相対的に軽量で廉価であるように設計できるように相対的に薄い壁を備えることもできる。
【００１１】
本発明のさらに詳細が従属請求項において述べられている。目下、本発明は、典型的な実施形態および図面を参照して、明確にされる。
【００１２】
図１は、立設自在なディスプレイ、たとえば、図４に表されたビデオカメラ１０のディスプレイ２のための、グレアフード１の第１の典型的な実施形態を示す。グレアフード１の使用は、図５および図６で表される。グレアフード１は、ディスプレイ２のブラインディングを防ぐためにカメラ１０のディスプレイ２に搭載されており、それによってディスプレイ２は、ビデオカメラの使用者に充分見ることができる。このようにして、使用者は、映画撮影時、写真撮影時および以前に記録された記録の再生時に、カメラの相対的に小さなファインダー２０に視線を保持する必要なく、快適な方法で、ディスプレイ２を使用することができる。
【００１３】
本典型的な実施形態では、グレアフード１は、すべて可撓性の材料から作製されており、グレアフード１をディスプレイ２に組付けた状態でディスプレイ２に締め付け力を加える。この締め付け力によって、グレアフード１は、ディスプレイ２に取り付けることができ、かつ簡単な方法で、そこから取り外すことができる。
【００１４】
図１、図５および図６からわかるように、グレアフード１は、ディスプレイを滑り込ませるための凹所６を備えている。この目的のために、フード１は、管状部３、および管状部３に接続され、取り付けられていない状態では湾曲している可撓性壁部４を含む。管状部３の端面とともに、可撓性壁部４は、前記凹所６と隣接している。ディスプレイ２は、この凹所６中に含まれることができ、その間、可撓性壁部４を変形させる。このようにして、簡単に達成されるのは、図５で表された使用状態におけるグレアフード１が、自動的にディスプレイ２に締め付け力を自動的に加えるということである。図６Ｂに示されるように、可撓性壁部４は、管３から離れたディスプレイ２の実質的に裏側全面に沿って延びるような長さを有している。このようにして、可撓性壁部４は、このディスプレイの裏側に保護を提供することができる。その上、壁部は、ディスプレイの上側および下側の実質的に全面にわたって延びている。したがって、可撓性壁部４は、ディスプレイの上側およびディスプレイの下側のいずれでもディスプレイ２への光の入射を防ぐ。
【００１５】
グレアフード１の管状部３は、ディスプレイ２から離れる方向に可撓性壁部４の側面から先細になっている。管状部３は、相互に反対側に延びる２つの第１側壁８，９およびこれら側壁と直角にかつ相互に反対に延びている２つの側壁１１，１２を含む（図１参照）。壁８，９，１１，１２は、視野空間Ｓを囲んでおり、この空間を通じて、グレアフード１の組付け後、ディスプレイを読み取ることができる。グレアフード１の可撓性壁部４は、管状部３の２つの相対する第１側壁８，９に単に一体化して、したがって相互に相対的に頑丈に接続している。
【００１６】
各図によって示されるように、管状部３の端面のエッジ７は、実質的に同一平面上で延びている。したがって、グレアフード１は、少なくとも組付け後、ディスプレイ２の実質的に平面状の表面に対して、これらのエッジ７によって、実質的に気密性をもって当接するよう配置されている。このようにして、グレアフード１は、横方向の周囲光によるディスプレイ２のブラインディングを非常に効果的に防ぐことができる。グレアフード１およびディスプレイ２のこの相互の当接は、グレアフード１とディスプレイ２との間の締め付け力によってさらに促進され、典型的な本実施形態に示されるように、この締め付け力は、ディスプレイ２に対して、エッジ７によって、管３を押圧する。さらに、グレアフード１は、特に、管３とディスプレイとの適正な当接のために、かつディスプレイ２が、フード１の凹部６に含まれているという点で、ディスプレイ２を湿度、たとえば雨、および／または周囲からの塵埃に対して充分保護できる。
【００１７】
好ましくは、グレアフード１は、組付け後、ディスプレイ２に臨む粗面、たとえば、可撓性壁部４の内面および／または管３の端面のエッジ７の表面を備える。その結果として、取り付けられたグレアフード１の不所望な摺動を防ぐことができる。
【００１８】
その上、少なくともグレアフード１を組付けた状態では、視野空間Ｓを通して指でディスプレイ２に触れることができるように、管状部３は、好ましくは、高さＨを有している。このようにして、グレアフード１は、ディスプレイのブラインディングを防ぐために充分な高さを有しているが、不必要に高くはない。その上、管状部の高さＨのため、ディスプレイ２上およびディスプレイ２からフードを摺動させるために第１側壁８，９の一方に力を少なくとも加えることによって、ディスプレイ２の近くでフード１を引き寄せるために、指をグレアフード１の管３の中まで充分に入れることができる。さらに、したがって、グレアフード１は、ディスプレイの画面の操作を妨げることなく手探りで、操作できるディスプレイと組合せて用いることができる。
【００１９】
好ましくは、第１の典型的な実施形態に従うグレアフード１は、耐久性の見地からおよび衝突や落下および／またはその他に対して良好な保護を提供するために、相対的に硬質の、少なくとも弾性材料から作製されている。前述のゴムはこのような硬質材料の例である。しかしながら、他の各種材料を用いることができ、該材料は、前述の諸特性をも提供することができることは、当業者にとって明らかである。特に、グレアフード１の壁４，８，９，１１，１２のうち少なくともいくつかの壁厚は、約５ｍｍ〜２０ｍｍの範囲内にある。このような厚みを有して、弾性壁は、ディスプレイ２を保護するために、不所望な機械的な力を充分吸収することができる。しかしながら、グレアフード１の壁はより厚いまたはより薄い材料から作製されてもよい。この壁厚は、特に材料を節約するために、たとえば約１ｍｍ〜５ｍｍの範囲内とすることができる。
【００２０】
図２は、第１の典型的な実施形態に従うグレアフード１のブランクを示す。ブランクは、第１側壁８，９および第２側壁１１，１２から形成される管状部３とともに可撓性壁部４を含む。線１３，１４を介して、第２側壁１１，１２は、第１管側壁９の長辺上に延びている。これらの線１３，１４は、たとえば切り離し線、特に切断線、裁断線、目打ち線などを含むことができるので、グレアフード１を形成するために、これらの壁１１，１２が他の側壁８，９との間で直角に設けられる前に、まず、第２側壁１１，１２を管側壁９から分離することができる。第２側壁１１，１２をこれらの線１３，１４に沿って角変位させ、次いで他方の管側壁８の長手エッジ１５に取り付けられるようにすることもまた可能である。ブランクの各種側壁部８，９，１１，１２の相互の取り付けは、様々な方法で、たとえばグレアフード１が一度組付けられることだけが必要とされるように接着剤での連結による取り外しできない方法で、および／または、使用後グレアフード１を保管可能なように簡単に戻すことができるように、たとえばスナップ連結またはＶｅｌｃｒｏ（ベルクロ）テープを用いる着脱可能な方法で行うことができる。
【００２１】
図３は、グレアフード１の第２の典型的な実施形態のブランクを示す。ここでは、２つの壁部１１，１２は、折り曲げ線１３，１４を介して角変位可能なように管側壁９に接続されている。第２壁１１，１２の長手方向遊端部は、他方の管側壁８の長手エッジ１５に設けられた蟻形接続溝１７と連携するための蟻形接続リップ１６を備えている。グレアフード１を形成するために、第１壁８，９および第２壁１１，１２は、それぞれ、相互に向かって移動されてもよく、または、相互に向かって角変位されてもよい。接続リップ１６は次いで、グレアフードがその使用の形状を保持するように、それぞれの溝１７に簡単に挿入される。使用後、グレアフード１は、たとえば、その輸送および／または保管のために、図３に表される平面状態に簡単に戻すことができる。
【００２２】
本発明は、記述された典型的な実施形態に限定されないことは自ずから明らかである。以下の請求項で記載されているように、本発明の構成の範囲内で、様々な変形が可能である。
【００２３】
たとえば、グレアフード１は、愛好家用の、半専門家用のおよび専門家用の装置、たとえば、Ｈｉ８カメラ、ＤＶおよびＤＶＣＡＭビデオカメラ、デジタル写真用カメラの、１またはそれ以上のディスプレイおよび／またはＬＣＤ画面とともに使用する目的とされてもよい。グレアフードはまた、ルートプラナー、ポケットコンピュータ、携帯電話、電子カレンダーなどのディスプレイのためにも意図されてもよい。概して、このようなディスプレイは相対的に小型である。しかしながら、グレアフード１は、より大型の、たとえば、ラップトップ型コンピュータおよび／または自立式プラズマ式スクリーンで使用するために設けられてもよい。
【００２４】
加えて、グレアフードは、上述の可撓性材料から全体的にまたは部分的に作製することもできる。この可撓性材料は、様々な材料、たとえば１またはそれ以上の適当なプラスチック、発泡材料、可撓性金属および／または合金、天然ゴムおよび／または合成ゴム、セルラーラバー、上述のシリコーンゴム、および／またはネオプレン（登録商標）、および／またはこれらおよび／またはその他の材料の組合せを含むことができる。
【００２５】
さらに、グレアフード１は、全体的にまたは部分的に黒色になるように好ましくは設計されているが、フード１は、１または複数の色を備えることもできる。グレアフードの外側は、たとえば、それぞれのディスプレイおよび／またはそれぞれのカメラの外側と実質的に同じ色とし、他方、グレアフードの内側は異なる色、たとえば、つや消し黒またはつや消し灰色を有するようにもできる。
【００２６】
なおその上に、締め付け力は、たとえばばね手段によって達成することができ、このばね手段は、可動壁部および管状部３を、その間でディスプレイ２を締め付けるために、相互に向かって移動させるために設けられる。この場合には、可動壁部を、たとえばグレアフードの管状部６のエッジに角変位可能におよび／または一体的に接続することができ、その結果、特に、グレアフードをディスプレイ２から締め付けて吊り下げることによって、グレアフードを簡単な方法でディスプレイに取り付けることができる。
【００２７】
加えて、管状部３は、様々な形状を含むことができ、先細ともできるし先細でなくてもよい。
【００２８】
さらに、組付けられていない状態では、可撓性壁部は、実質的に湾曲していてもよく、またはその逆に、湾曲していなくてもよい。後者の場合には、組付けた状態では、該壁部は、ディスプレイに締め付け力を生じさせるために、たとえば少なくとも部分的に湾曲した状態にされてもよい。
【００２９】
さらに、グレアフードは、様々の種類および寸法のディスプレイで使用するために各種寸法で作製されてもよい。
【００３０】
管状部３は、さらに、異なる高さＨ、たとえば、視野空間Ｓを通して指では、もはや、ディスプレイに触れることができないような高さＨを有していてもよい。
【００３１】
グレアフード１は、多くの方法で、たとえば適当なブランクによって作製することができる。
【００３２】
さらに、グレアフードは、たとえば、硬化可能材料および／または硬化可能組成物を適当な型穴に挿入し、このグレアフード部分を少なくとも部分的に形成するために、型穴で硬化させることによって、部分的に好ましくは完全に形成することができる。好ましくは、型穴に挿入される材料および／または組成物は、少なくともその硬化後、グレアフードの上述の可撓性材料を含む。この方法で用いられる上述の型穴は、たとえば、実質的にグレアフード全体を形成するために形成される。型穴は、たとえば、簡単な方法でモールド内に設けることができる。この方法の利点は、たとえば、この目的のためにまずグレアフードのブランクを作る必要なく、この方法でもって、グレアフードを所望の形状に直接作製できることであり、このブランクは、使用者によって最終形状にされる。この方法の別の利点は、相対的に多数のこのようなグレアフードが、相対的に速やかに、かつ相対的に廉価に作製され得ることである。
【図面の簡単な説明】
【００３３】
【図１】本発明の第１の典型的な実施形態の斜視図を示す。
【図２】図１に表された典型的な実施形態のブランクを示す。
【図３】本発明の別の典型的な実施形態のブランクを示す。
【図４】ビデオカメラの斜視図を示す。
【図５】本発明に従うグレアフードがカメラのディスプレイに取り付けられた、図４と同様の図を示す。
【図６Ａ】図５に表されたグレアフード付カメラの側面図を示す。
【図６Ｂ】図５に表されたグレアフード付カメラの平面図を示す。
【図１】
2005523656.tif 000003
【図２】
2005523656.tif 000004
【図３】
2005523656.tif 000005
【図４】
2005523656.tif 000006
【図５】
2005523656.tif 000007
【図６Ａ】
2005523656.tif 000008
【図６Ｂ】
2005523656.tif 000009
【国際調査報告】
2005523656.tif 000010
2005523656.tif 000011
2005523656.tif 000012